(57)【要約】      （修正有）【課題】表示画面上において表示物の距離を正確かつ容易に把握することができるスケール定規表示制御装置、スケール定規表示制御方法、およびプログラムを提供する。【解決手段】スケール定規表示制御装置１のスケール定規表示部４０は、表示画面上に表示物の距離を把握するスケール定規表示を表示する。スケール定規表示移動部５０は、スケール定規表示を移動させる。スケール定規表示を表示物の近傍に移動させて、表示画面上の表示物の距離を正確かつ容易に把握することができる。スケール定規表示部４０は、表示物に予め含まれるスケール定規表示を複製した複製データを生成して新たなスケール定規表示を表示させる。表示物に予め含まれるスケール定規表示を利用して移動可能な新たなスケール定規表示を容易に生成する。【選択図】図１
2017107344.tif 000002
【特許請求の範囲】
【請求項１】
表示画面上において表示物の距離を把握するためのスケール定規表示を表示させるスケール定規表示部と、
前記スケール定規表示を前記表示画面上で移動させるスケール定規表示移動部と、を有することを特徴とするスケール定規表示制御装置。
【請求項２】
前記スケール定規表示部は、前記表示画面上における表示物に予め含まれるスケール定規表示を複製した複製データを生成して該複製データを新たなスケール定規表示として表示させることを特徴とする請求項１に記載のスケール定規表示制御装置。
【請求項３】
前記表示物に予め含まれるスケール定規表示を識別するための識別情報を記憶する記憶部と、前記表示画面上において所定の領域を設定する領域設定部と、前記記憶部に記憶された識別情報が前記領域設定部に設定された領域に含まれるか否かを判断するスケール定規表示判断部と、を更に有し、
前記スケール定規表示部は、前記スケール定規表示判断部が前記領域に前記識別情報を含むと判断したときに、前記予め含まれるスケール定規表示を複製した複製データを生成して前記表示画面上に前記新たなスケール定規表示を表示させることを特徴とする請求項２に記載のスケール定規表示制御装置。
【請求項４】
前記スケール定規表示は、所定の長さを有する図形表示および該図形表示の長さに対応する距離を数値表示する距離数値表示を含むとともに、前記識別情報は、前記図形表示の識別情報および前記距離数値表示の識別情報を含むことを特徴とする請求項３に記載のスケール定規表示制御装置。
【請求項５】
前記スケール定規表示部により表示されたスケール定規表示において距離数値表示の変更を行うスケール定規表示変更部を更に有することを特徴とする請求項４に記載のスケール定規表示制御装置。
【請求項６】
前記スケール定規表示部により表示されたスケール定規表示において図形表示の寸法および／または形状を変更させるとともに、該変更した寸法および／または形状に対応させて前記距離数値表示の変更を行うスケール定規表示変更部を更に有することを特徴とする請求項４に記載のスケール定規表示制御装置。
【請求項７】
表示画面上において表示物の距離を把握するためのスケール定規表示を表示させるスケール定規表示ステップと、
前記スケール定規表示を前記表示画面上で移動させるスケール定規表示移動ステップと、を有することを特徴とするスケール定規表示制御方法。
【請求項８】
前記スケール定規表示ステップは、前記表示画面上における表示物に予め含まれるスケール定規表示を複製した複製データを生成して該複製データを新たなスケール定規表示として表示させるステップとすることを特徴とする請求項７に記載のスケール定規表示制御方法。
【請求項９】
前記表示物に予め含まれるスケール定規表示を識別するための識別情報を記憶する記憶ステップと、前記表示画面上において所定の領域を設定する領域設定ステップと、前記記憶ステップにおいて記憶された識別情報が前記領域設定ステップにおいて設定された領域に含まれるか否かを判断するスケール定規表示判断ステップと、を更に有し、
前記スケール定規表示ステップは、前記スケール定規表示判断ステップにおいて前記領域に前記識別情報を含むと判断されたときに、前記予め含まれるスケール定規表示を複製した複製データを生成して前記表示画面上に前記新たなスケール定規表示を表示させるステップとすることを特徴とする請求項８に記載のスケール定規表示制御方法。
【請求項１０】
前記スケール定規表示は、所定の長さを有する図形表示および該図形表示の長さに対応する距離を数値表示する距離数値表示を含むとともに、前記識別情報は、前記図形表示の識別情報および前記距離数値表示の識別情報を含むことを特徴とする請求項９に記載のスケール定規表示制御方法。
【請求項１１】
前記スケール定規表示ステップにより表示されたスケール定規表示において距離数値表示の変更を行うスケール定規表示変更ステップを更に有することを特徴とする請求項１０に記載のスケール定規表示制御方法。
【請求項１２】
前記スケール定規表示ステップにより表示されたスケール定規表示において図形表示の寸法および／または形状を変更させるとともに、該変更した寸法および／または形状に対応させて前記距離数値表示の変更を行うスケール定規表示変更ステップを更に有することを特徴とする請求項１０に記載のスケール定規表示制御方法。
【請求項１３】
コンピュータを、
表示画面上において表示物の距離を把握するためのスケール定規表示を表示させるスケール定規表示部と、
前記スケール定規表示を前記表示画面上で移動させるスケール定規表示移動部として機能させることを特徴とするプログラム。
【請求項１４】
前記スケール定規表示部を、前記表示画面上における表示物に予め含まれるスケール定規表示を複製した複製データを生成して該複製データを新たなスケール定規表示として表示させる機能部として機能させることを特徴とする請求項１３に記載のプログラム。
【請求項１５】
前記コンピュータを、
前記表示物に予め含まれるスケール定規表示を識別するための識別情報を記憶する記憶部と、前記表示画面上において所定の領域を設定する領域設定部と、前記記憶部に記憶された識別情報が前記領域設定部に設定された領域に含まれるか否かを判断するスケール定規表示判断部として更に機能させるとともに、
前記スケール定規表示部を、前記スケール定規表示判断部が前記領域に前記識別情報を含むと判断したときに、前記予め含まれるスケール定規表示を複製した複製データを生成して前記表示画面上に前記新たなスケール定規表示を表示させる機能部として機能させることを特徴とする請求項１４に記載のプログラム。
【請求項１６】
前記スケール定規表示は、所定の長さを有する図形表示および該図形表示の長さに対応する距離を数値表示する距離数値表示を含むとともに、前記識別情報は、前記図形表示の識別情報および前記距離数値表示の識別情報を含むことを特徴とする請求項１５に記載のプログラム。
【請求項１７】
前記コンピュータを、
前記スケール定規表示部により表示されたスケール定規表示において距離数値表示の変更を行うスケール定規表示変更部として更に機能させることを特徴とする請求項１６に記載のプログラム。
【請求項１８】
前記コンピュータを、
前記スケール定規表示部により表示されたスケール定規表示において図形表示の寸法および／または形状を変更させるとともに、該変更した寸法および／または形状に対応させて前記距離数値表示の変更を行うスケール定規表示変更部として更に機能させることを特徴とする請求項１６に記載のプログラム。
【発明の詳細な説明】
【技術分野】
【０００１】
本発明は、スケール定規表示制御装置、スケール定規表示制御方法、およびプログラムに関し、特に表示画面上において表示物における距離を把握するためのスケール定規表示を表示させるスケール定規表示制御装置、スケール定規表示制御方法、およびプログラムに関する。
【背景技術】
【０００２】
コンピュータの表示画面には各種の表示物が表示され、表示物には文字情報や図形情報等の表示物が含まれる。図形情報には、例えばインターネットシステムを利用して表示される地図情報があり、この地図情報には一般にスケール定規表示が含まれている。スケール定規表示には、例えば、図形表示や距離数値表示が含まれる。このような技術は例えば特許文献１に開示される技術が参照される。
【先行技術文献】
【特許文献】
【０００３】
【特許文献１】特開２０００−０１９９５５号
【発明の概要】
【発明が解決しようとする課題】
【０００４】
ところで、上述した地図情報をユーザーが参照する際には、目的地の位置や道順を把握する他、如何なる距離かを把握することもしばしば行われる。このように距離を把握する際には、通常、表示画面上にあるスケール定規表示の図形表示の長さと距離数値表示との関係から、目的地まで如何なる距離かを目視で推測して行う。しかしながらこのような距離の把握は正確性を欠くばかりか、いちいち距離を推測しなければならず極めて煩雑であり、ユーザーから強く改善が求められていた。
【０００５】
本発明はこのような事情に鑑みてなされたものであり、表示画面上において表示物の距離を正確かつ容易に把握することができるスケール定規表示制御装置、スケール定規表示制御方法、およびプログラムを提供することを目的とする。
【課題を解決するための手段】
【０００６】
上記目的を達成するために、スケール定規表示制御装置に係る請求項１の発明は、表示画面上において表示物の距離を把握するためのスケール定規表示を表示させるスケール定規表示部と、スケール定規表示を表示画面上で移動させるスケール定規表示移動部と、を有することを特徴とする。
【０００７】
本発明によれば、表示画面上において表示物の距離を把握するためのスケール定規表示を表示させるスケール定規表示部と、スケール定規表示を表示画面上で移動させるスケール定規表示移動部と、を有することとしたので、表示画面上においてスケール定規表示を表示させるとともに、該スケール定規表示を移動させることができる。これにより、表示画面上においてスケール定規表示を表示物の近傍に移動させて距離を把握することができる等、表示画面上における表示物の距離を正確かつ容易に把握することができる。
【０００８】
スケール定規表示部は、表示画面上における表示物に予め含まれるスケール定規表示を複製した複製データを生成して該複製データを新たなスケール定規表示として表示させることとすれば、表示物に予め含まれるスケール定規表示を利用して移動可能な新たなスケール定規表示を容易に生成することができる（請求項２）。
【０００９】
表示物に予め含まれるスケール定規表示を識別するための識別情報を記憶する記憶部と、表示画面上において所定の領域を設定する領域設定部と、記憶部に記憶された識別情報が領域設定部に設定された領域に含まれるか否かを判断するスケール定規表示判断部と、を更に有し、スケール定規表示部は、スケール定規表示判断部が領域に識別情報を含むと判断したときに、予め含まれるスケール定規表示を複製した複製データを生成して表示画面上に新たなスケール定規表示を表示させることとすれば、確実にスケール定規表示の複製データを生成することができる（請求項３）。
【００１０】
スケール定規表示は、所定の長さを有する図形表示および該図形表示の長さに対応する距離を数値表示する距離数値表示を含むとともに、識別情報は、図形表示の識別情報および距離数値表示の識別情報を含むこととすることができる（請求項４）。
【００１１】
スケール定規表示部により表示されたスケール定規表示において距離数値表示の変更を行うスケール定規表示変更部を更に有することとすれば、より詳しくは、スケール定規表示部により表示されたスケール定規表示において図形表示の寸法および／または形状を変更させるとともに、該変更した寸法および／または形状に対応させて距離数値表示の変更を行うスケール定規表示変更部を更に有することとすれば、表示画面上における表示物の寸法や形状に対応させてスケール定規表示を変更させることができ、表示画面上における表示物の距離を更に正確かつ容易に把握することができる（請求項５、請求項６）。
【００１２】
上記目的を達成するために、スケール定規表示制御方法に係る請求項７の発明は、表示画面上において表示物の距離を把握するためのスケール定規表示を表示させるスケール定規表示ステップと、スケール定規表示を表示画面上で移動させるスケール定規表示移動ステップと、を有することを特徴とする。
【００１３】
本発明によれば、表示画面上において表示物の距離を把握するためのスケール定規表示を表示させるスケール定規表示ステップと、スケール定規表示を表示画面上で移動させるスケール定規表示移動ステップと、を有することとしたので、表示画面上においてスケール定規表示を表示させるとともに、該スケール定規表示を移動させることができる。これにより、表示画面上においてスケール定規表示を表示物の近傍に移動させて距離を把握することができる等、表示画面上における表示物の距離を正確かつ容易に把握することができる。
【００１４】
スケール定規表示ステップは、表示画面上における表示物に予め含まれるスケール定規表示を複製した複製データを生成して該複製データを新たなスケール定規表示を表示させるステップとすることとすれば、表示物に予め含まれるスケール定規表示を利用して移動可能な新たなスケール定規表示を容易に生成することができる（請求項８）。
【００１５】
表示物に予め含まれるスケール定規表示を識別するための識別情報を記憶する記憶ステップと、表示画面上において所定の領域を設定する領域設定ステップと、記憶ステップにおいて記憶された識別情報が領域設定ステップにおいて設定された領域に含まれるか否かを判断するスケール定規表示判断ステップと、を更に有し、スケール定規表示ステップは、スケール定規表示判断ステップにおいて領域に識別情報を含むと判断されたときに、予め含まれるスケール定規表示を複製した複製データを生成して表示画面上に新たなスケール定規表示を表示させるステップとすることとすれば、確実にスケール定規表示の複製データを生成することができる（請求項９）。
【００１６】
スケール定規表示は、所定の長さを有する図形表示および該図形表示の長さに対応する距離を数値表示する距離数値表示を含むとともに、識別情報は、図形表示の識別情報および距離数値表示の識別情報を含むこととすることができる（請求項１０）。
【００１７】
スケール定規表示ステップにより表示されたスケール定規表示において距離数値表示の変更を行うスケール定規表示変更ステップを更に有することとすれば、より詳しくは、スケール定規表示ステップにより表示されたスケール定規表示において図形表示の寸法および／または形状を変更させるとともに、該変更した寸法および／または形状に対応させて距離数値表示の変更を行うスケール定規表示変更ステップを更に有することとすれば、表示画面上における表示物の寸法や形状に対応させてスケール定規表示を変更させることができ、表示画面上における表示物の距離を更に正確かつ容易に把握することができる（請求項１１、請求項１２）。
【００１８】
上記目的を達成させるためにプログラムに係る請求項１３の発明は、コンピュータを、表示画面上において表示物の距離を把握するためのスケール定規表示を表示させるスケール定規表示部と、スケール定規表示を表示画面上で移動させるスケール定規表示移動部として機能させることを特徴とする。
【００１９】
本発明によれば、コンピュータを、表示画面上において表示物の距離を把握するためのスケール定規表示を表示させるスケール定規表示部と、スケール定規表示を表示画面上で移動させるスケール定規表示移動部として機能させることとしたので、表示画面上においてスケール定規表示を表示させるとともに、該スケール定規表示を移動させることができる。これにより、表示画面上においてスケール定規表示を表示物の近傍に移動させて距離を把握することができる等、表示画面上における表示物の距離を正確かつ容易に把握することができる。
【００２０】
スケール定規表示部を、表示画面上における表示物に予め含まれるスケール定規表示を複製した複製データを生成して該複製データを新たなスケール定規表示として表示させる機能部として機能させることとすれば、表示物に予め含まれるスケール定規表示を利用して移動可能な新たなスケール定規表示を容易に生成することができる（請求項１４）。
【００２１】
コンピュータを、表示物に予め含まれるスケール定規表示を識別するための識別情報を記憶する記憶部と、表示画面上において所定の領域を設定する領域設定部と、記憶部に記憶された識別情報が領域設定部に設定された領域に含まれるか否かを判断するスケール定規表示判断部として更に機能させるとともに、スケール定規表示部を、スケール定規表示判断部が領域に識別情報を含むと判断したときに、予め含まれるスケール定規表示を複製した複製データを生成して表示画面上に新たなスケール定規表示を表示させる機能部として機能させることとすれば、確実にスケール定規表示の複製データを生成することができる（請求項１５）。
【００２２】
スケール定規表示は、所定の長さを有する図形表示および該図形表示の長さに対応する距離を数値表示する距離数値表示を含むとともに、識別情報は、図形表示の識別情報および距離数値表示の識別情報を含むこととすることができる（請求項１６）。
【００２３】
コンピュータを、スケール定規表示部により表示されたスケール定規表示において距離数値表示の変更を行うスケール定規表示変更部として更に機能させることとすれば、より詳しくは、コンピュータを、スケール定規表示部により表示されたスケール定規表示において図形表示の寸法および／または形状を変更させるとともに、該変更した寸法および／または形状に対応させて距離数値表示の変更を行うスケール定規表示変更部として更に機能させることとすれば、表示画面上における表示物の寸法や形状に対応させてスケール定規表示を変更させることができ、表示画面上における表示物の距離を更に正確かつ容易に把握することができる（請求項１７、請求項１８）。
【発明の効果】
【００２４】
本発明によれば、表示画面上において表示物の距離を正確かつ容易に把握することができる。
【図面の簡単な説明】
【００２５】
【図１】本発明の実施形態を示すスケール定規表示制御装置の構成を示すブロック図である。
【図２】同スケール定規表示制御装置におけるスケール定規表示の表示制御方法を説明するための図である。
【図３】同スケール定規表示制御装置の記憶部に記憶されたデータを説明するための図である。
【図４】同スケール定規表示制御装置におけるスケール定規表示の表示制御方法を説明するための図２に続く図である。
【図５】同スケール定規表示制御装置におけるスケール定規表示の表示制御方法を説明するための図４に続く図である。
【図６】同スケール定規表示制御装置におけるスケール定規表示の表示制御方法を説明するための図５に続く図である。
【図７】同スケール定規表示制御装置におけるスケール定規表示の表示制御方法を説明するための図６に続く図である。
【図８】同スケール定規表示制御装置におけるスケール定規表示の表示制御方法を説明するための図７に続く図である。
【図９】同スケール定規表示制御装置におけるスケール定規表示の表示制御方法を説明するための図８に続く図である。
【図１０】スケール定規表示の図形表示が曲線である場合の距離数値表示の演算方法を説明するための図である。
【図１１】同スケール定規表示制御装置におけるスケール定規表示の制御動作を説明するためのフローチャートである。
【発明を実施するための形態】
【００２６】
以下、本発明の実施形態について図面を参照して詳細に説明する。図１は、本発明の実施形態を示すスケール定規表示制御装置１の構成を示すブロック図である。同図を参照して本発明の概要を説明すると、本発明のスケール定規表示制御装置１は、記憶部１０、領域設定部２０、スケール定規表示判断部３０、スケール定規表示部４０、スケール定規表示移動部５０、およびスケール定規表示変更部６０の各機能部から構成されている。スケール定規表示制御装置１は、コンピュータとしての一般的構成を備えており、ＣＰＵ、メモリ、ハードディスク、表示装置（ディスプレー）、および入力装置（キーボード、マウス）からなる。
【００２７】
すなわち、スケール定規表示制御装置１は、各機能部が相互に機能することにより、図２に示すように、表示画面２上における表示物２ａ（以下、表示画面２上における表示物２ａは、単に表示物２ａとする場合がある）の表示制御より詳しくはスケール定規表示３の表示制御を行うことができる。表示画面２は、例えばインターネットにより接続されて閲覧されるウェブ画面を含み、スケール定規表示３の表示制御は、ウェブ画面上においても行うことができる。
【００２８】
スケール定規表示３は、表示物２ａの距離を把握する機能を有しており、表示物２ａに予め含まれている。スケール定規表示３は、図形表示３ａおよび距離数値表示３ｂを含んでおり、図形表示３ａは、直線部分を有し、かつ、所定の長さＬを有し、距離数値表示３ｂは、図形表示３ａの長さＬに対応する距離Ｘ（例えば４００ｍ、１ｋｍ、・・・）を数値表示する。距離Ｘは、地図等の表示物２ａの実際の距離に対応するものとする。
【００２９】
記憶部１０は、表示物２ａに予め含まれるスケール定規表示３を識別するための識別情報７０，８０を記憶する機能を有している。図３に示すように、識別情報７０，８０は、図形表示３ａの識別情報７０および距離数値表示３ｂの識別情報８０を含む。つまり、図形表示３ａの識別情報７０は、例えば「Ｈ型の直線」等、スケール定規表示３に一般的に用いられる図形の特徴情報を含み、距離数値表示３ｂの識別情報８０は、例えば「ｍ」、「ｋｍ」等の距離を示す単位情報が含まれる。
【００３０】
領域設定部２０は、図４に示すように、表示画面２上において所定の領域２０ａの設定を行う機能を有している。領域設定部２０は、例えば、ユーザーが入力装置を介して表示画面２上のスケール定規表示３を包含するように領域２０ａの指定を行うことにより、該指定に対応させて領域２０ａの設定を行うことができる。
【００３１】
スケール定規表示判断部３０は、記憶部１０に記憶された識別情報７０，８０を読み出して入力するとともに、読み出した識別情報７０，８０が領域設定部２０により設定された領域２０ａに含まれているか否か、つまりスケール定規表示３が含まれているか否かを判断する機能を有している。
【００３２】
すなわち、スケール定規表示判断部３０は、識別情報７０，８０が含まれていると判断した場合には、図５に示すように、設定された領域２０ａ内におけるスケール定規表示３を特定する（特定されたスケール定規表示３は、例えば、図５に示すように、点線で表示される）。
【００３３】
このスケール定規表示３の特定は、より詳しくは、図形表示の識別情報７０に対応する図形表示３ａ（例えば、Ｈ型直線）と、距離数値表示の識別情報８０に対応する距離数値表示３ｂつまり距離を示す単位情報（例えば、ｍ）および該単位情報から所定の距離内にある数値情報（例えば、４００）と、を特定して行う。
【００３４】
スケール定規表示部４０は、表示物２ａに予め含まれるスケール定規表示３を複製した複製データを生成して該複製データを新たなスケール定規表示４として表示させる機能を有している。新たなスケール定規表示４も図形表示４ａおよび距離数値表示４ｂを含み、表示画面２上に予め含まれるスケール定規表示３と同様に表示物２ａの距離を把握する機能を有している。
【００３５】
すなわち、スケール定規表示部４０は、スケール定規表示判断部３０が領域２０ａに識別情報７０，８０を含むと判断しスケール定規表示３を特定したときに、領域２０ａにおけるスケール定規表示３の複製データを生成して新たなスケール定規表示４を表示する。
【００３６】
スケール定規表示移動部５０は、図６に示すように、新たなスケール定規表示４を表示画面２上で移動させる機能を有している。スケール定規表示移動部５０は、例えば、ユーザーが入力装置を介して新たなスケール定規表示４の移動方向および移動量を指定することにより、該指定に対応して新たなスケール定規表示４を移動させることができる。スケール定規表示移動部５０は、図７に示すように、新たなスケール定規表示４を異なる別の表示画面５上に移動させて表示する機能も有している。
【００３７】
スケール定規表示変更部６０は、スケール定規表示部４０により表示された新たなスケール定規表示４において、距離数値表示４ｂの変更、より詳しくは、図形表示４ａの寸法および／または形状を変更させるとともに、該変更した寸法および／または形状に対応させて距離数値表示４ｂの変更を行う機能を有している。
【００３８】
すなわち、スケール定規表示変更部６０は、例えば、図８に示すように、ユーザーが入力装置を介して表示物２ａ（例えば地図）の寸法に対応させて新たなスケール定規表示４の寸法をＬからＭに変更（拡大）させたとき、以下の数１に基づいて、変更した寸法Ｍに対応させて、スケール定規表示４の距離数値表示４ｂ（距離数値表示Ｙ）を変更することができる。
[数１]
Ｙ＝Ｘ×（Ｍ／Ｌ）
【００３９】
また、スケール定規表示変更部６０は、例えば、図９に示すように、ユーザーが入力装置を介して表示物２ａ（例えば地図）の形状に対応させて新たなスケール定規表示４における図形表示４ａの形状を変更させたとき、変更した形状に対応させてスケール定規表示４の距離数値表示４ｂの変更を行う機能を有している。すなわち、スケール定規表示変更部６０は、新たなスケール定規表示４の形状を例えば直線から曲線に変更することができる等、表示物２ａの形状に対応するように、新たなスケール定規表示４の形状を各種の形状に変更させて距離数値表示４ｂの変更を行うことができる。
【００４０】
なお、曲線に変更したときの距離数値表示４ｂ（距離数値表示Ｙ）は、図１０に示すように、曲線を複数の区間１〜ｎに分割し（図１０（ａ））、分割した区間１〜ｎごとに曲線部分Ｚ１〜Ｚｎをそれぞれ直線近似し（図１０（ｂ））、更に、近似したすべての直線部分の長さを積算して行う。
【００４１】
以上の如く構成されたスケール定規表示制御装置１の各機能部は、プログラム１００をインストールして実行することによりその機能を果たす。
【００４２】
すなわち、スケール定規表示制御装置１は、上述のようにコンピュータとしての一般的構成を備え、プログラム１００は、スケール定規表示制御装置１のコンピュータを、表示物２ａの距離を把握するためのスケール定規表示４を表示画面２上で表示させるスケール定規表示部４０と、スケール定規表示４を表示画面２上で移動させるスケール定規表示移動部５０として機能させることができ、より詳しくは、スケール定規表示部４０を、表示物２ａに予め含まれるスケール定規表示３を複製した複製データを生成して該複製データを新たなスケール定規表示４として表示させる機能部として機能させることができる。
【００４３】
また、プログラム１００は、スケール定規表示制御装置１のコンピュータを、表示物２ａに予め含まれるスケール定規表示３を識別するための識別情報７０，８０を記憶する記憶部１０と、表示画面２上において所定の領域２０ａを設定する領域設定部２０と、記憶部１０に記憶された識別情報７０，８０が領域設定部２０に設定された領域に含まれるか否かを判断するスケール定規表示判断部３０として更に機能させるとともに、スケール定規表示部４０を、スケール定規表示判断部３０が領域２０ａに識別情報７０，８０を含むと判断したときに、予め含まれるスケール定規表示３の複製データを生成して表示画面２上に新たなスケール定規表示４を表示させる機能部として機能させることができる。なお、スケール定規表示３は、所定の長さＬを有する図形表示３ａおよび該図形表示３ａの長さＬに対応する距離を表示する距離数値表示３ｂを含むとともに、識別情報７０，８０は、図形表示３ａの識別情報７０および距離数値表示３ｂの識別情報８０を含むこととすることができる。
【００４４】
更に、プログラム１００は、スケール定規表示制御装置１のコンピュータを、スケール定規表示部４０により表示された新たなスケール定規表示４において距離数値表示４ｂの変更を行うスケール定規表示変更部４ｂ、より詳しくは、プラグラム１００は、スケール定規表示制御装置１のコンピュータを、スケール定規表示部４０により表示された新たなスケール定規表示４において図形表示４ａの寸法および／または形状を変更させるとともに、該変更した寸法および／または形状に対応させて距離数値表示４ｂの変更を行うスケール定規表示変更部６０、として更に機能させることができる。
【００４５】
次に、スケール定規表示制御装置１による動作フローを図１１のフローチャートに基づいて詳細に説明する。スケール定規表示制御装置１による動作はプログラム１００を実行することにより行われる。
【００４６】
すなわち、まず、ステップＳ１０において、表示物２ａに予め含まれるスケール定規表示３を識別するための識別情報７０，８０を記憶部１０に記憶させる（図３、記憶ステップ）。
【００４７】
次いで、ステップＳ２０において、領域設定部２０が、表示画面２上において領域２０ａの設定を行う。この領域２０ａの設定は、表示画面２上に予め含まれるスケール定規表示３を包含するように行う（図４、領域設定ステップ）。
【００４８】
続いて、ステップＳ３０において、スケール定規表示判断部３０が、記憶部１０に記憶された識別情報７０，８０を読み出すとともに、ステップＳ４０において、スケール定規表示判断部３０が、領域２０ａ内にスケール定規表示３が含まれているか否かを判断する。次いで、スケール定規表示判断部３０が、領域２０ａ内にスケール定規表示３が含まれていると判断する場合は、ステップＳ５０において、スケール定規表示判断部３０が、領域２０ａ内におけるスケール定規表示３を特定する（図５、スケール定規表示判断ステップ）。
【００４９】
次に、ステップＳ６０において、スケール定規表示部４０が、スケール定規表示３を複製した複製データを生成して該複製データを新たなスケール定規表示４として表示させる（スケール定規表示ステップ）。
【００５０】
続いて、ステップＳ７０において、スケール定規表示移動部５０が、新たなスケール定規表示４を表示画面２上で移動させる（図６）。または、スケール定規表示移動部５０は、新たなスケール定規表示４を異なる別の表示画面５上に移動させて表示する（図７、スケール定規表示移動ステップ）。
【００５１】
次いで、ステップＳ８０において、スケール定規表示変更部６０が、距離数値表示４ｂの変更を行う、より詳しくは、表示物２ａの寸法および／または形状に対応させて、スケール定規表示変更部６０が、新たなスケール定規表示４の図形表示４ａの寸法および／または形状を変更させるとともに、該変更した寸法および／または形状に対応させて距離数値表示４ｂの変更を行う（図８、図９、スケール定規表示変更ステップ）。
【００５２】
以上説明したように、本発明によれば、表示物２ａにおける距離を把握するためのスケール定規表示４を表示画面２上で表示させるスケール定規表示部４０もしくはスケール定規表示ステップと、スケール定規表示４を表示画面２上で移動させるスケール定規表示移動部５０もしくはスケール定規表示移動ステップと、を有することとしたので、表示画面２上においてスケール定規表示４を表示させるとともに、該スケール定規表示４を移動させることができる。これにより、スケール定規表示４を表示物２ａの近傍に移動させて距離を把握することができる等、表示物２ａの距離を正確かつ容易に把握することができる。
【００５３】
また、スケール定規表示部４０もしくはスケール定規表示ステップは、表示物２ａに予め含まれるスケール定規表示３を複製した複製データを生成して該複製データを新たなスケール表示４として表示させることとしたので、表示物２ａに予め含まれるスケール定規表示３を利用して移動可能な新たなスケール定規表示４を容易に生成することができる。
【００５４】
更に、表示物２ａに予め含まれるスケール定規表示３を識別するための識別情報７０，８０を記憶する記憶部１０もしくは記憶ステップと、表示画面２上において所定の領域２０ａを設定する領域設定部２０もしくは領域設定ステップと、記憶部１０に記憶された識別情報７０，８０が領域設定部２０に設定された領域２０ａに含まれるか否かを判断するスケール定規表示判断部３０もしくはスケール定規表示判断ステップと、を更に有し、スケール定規表示部４０もしくはスケール定規表示ステップは、スケール定規表示判断部３０が領域２０ａに識別情報７０，８０を含むと判断したときに、予め含まれるスケール定規表示３の複製データを生成して表示画面２上に新たなスケール定規表示４を表示させることとしたので、確実にスケール定規表示３の複製データを生成することができる。
【００５５】
更にまた、スケール定規表示部４０もしくはスケール定規表示ステップにより表示されたスケール定規表示４において、距離数値表示４ｂの変更を行うスケール定規表示変更部６０もしくはスケール定規表示変更ステップを更に有することとしたので、より詳しくは、図形表示４ａの寸法および／または形状を変更させるとともに、該変更した寸法および／または形状に対応させて距離数値表示４ｂの変更を行うスケール定規表示変更部６０もしくはスケール定規表示変更ステップを更に有することとしたので、表示物２ａの寸法や形状に対応させてスケール定規表示４を変更させることができ、表示物２ａの距離を更に正確かつ容易に把握することができる。
【００５６】
なお、本発明は上述した実施形態に限定されることなく特許請求の範囲を逸脱しない範囲内において各種の変形実施、応用実施が可能であることは勿論である。
【００５７】
すなわち、上述した実施形態にあっては、表示物２ａに予め含まれるスケール定規表示３の複製データを生成して新たなスケール定規表示４を表示させ、これを移動させることとしているが、表示物２ａに予め含まれるスケール定規表示３を移動させることとしたり、スケール定規表示３を複製することなく新たなスケール表示４を表示させ移動させることとしても所要の技術的効果を奏する。
【００５８】
また、上述した実施形態にあっては、図形表示３ａ，４ａは、図からも明らかなように、直線状の形状とすることとしているが、三角形状や四角形状等の多角形、更にはキャラクター等の絵柄とすることとしても所要の技術的効果を奏する。すなわち、図形表示３ａ，４ａを多角形や絵柄とすることとしても距離数値表示３ａ，４ａや移動を可能とし、寸法および／または形状を変更可能に構成することとすれば本発明の目的を達成することができる。
【００５９】
更に、上述した実施形態にあっては、スケール定規表示変更部６０は、スケール定規表示部４０により表示された新たなスケール定規表示４において、図形表示４ａの寸法および／または形状を変更させるとともに、該変更した寸法および／または形状に対応させて距離数値表示４ｂの変更を行うこととしているが、図形表示４ａの寸法および／または形状の変更を伴わずに、距離数値表示４ｂのみ変更を行うこととしてもよい（この場合、図形表示４ａの寸法と距離数値表示４ｂとの相関関係が変更となる）。すなわち、スケール定規表示変更部６０は、スケール定規表示部４０により表示された新たなスケール定規表示４において、距離数値表示４ｂの変更を可能とすることとすれば本発明の目的を達成することができる。
【産業上の利用可能性】
【００６０】
本発明は、表示画面上においてスケール定規表示を移動させることができるスケール定規表示制御装置、スケール定規表示制御方法、およびプログラムを提供することができ、ユーザーにおける各種の作業効率を向上させ、各種の業界の発展に大きく貢献する。 
【符号の説明】
【００６１】
１：スケール定規表示制御装置、２：表示画面、２ａ：表示物、３：スケール定規表示、３ａ：図形表示、３ｂ：距離数値表示、４：新たなスケール定規表示、４ａ：図形表示、４ｂ：距離数値表示、５：異なる別の表示画面、１０：記憶部、２０：領域設定部、３０：スケール定規表示判断部、４０：スケール定規表示部、５０：スケール定規表示移動部、６０：スケール定規表示変更部、７０：図形表示の識別情報、８０：距離数値表示の識別情報、１００：プログラム
【図１】
2017107344.tif 000003
【図２】
2017107344.tif 000004
【図３】
2017107344.tif 000005
【図４】
2017107344.tif 000006
【図５】
2017107344.tif 000007
【図６】
2017107344.tif 000008
【図７】
2017107344.tif 000009
【図８】
2017107344.tif 000010
【図９】
2017107344.tif 000011
【図１０】
2017107344.tif 000012
【図１１】
2017107344.tif 000013
【手続補正書】
【提出日】平成29年4月13日(2017.4.13)
【手続補正１】
【補正対象書類名】特許請求の範囲
【補正対象項目名】全文
【補正方法】変更
【補正の内容】
【特許請求の範囲】
【請求項１】
表示画面上において表示物の距離を把握するためのスケール定規表示であって、前記表示画面上における表示物に予め含まれるスケール定規表示を複製した複製データを生成して該複製データを新たなスケール定規表示として表示させるスケール定規表示部と、
前記スケール定規表示を前記表示画面上で移動させるスケール定規表示移動部と、を有することを特徴とするスケール定規表示制御装置。
【請求項２】
前記表示物に予め含まれるスケール定規表示を識別するための識別情報を記憶する記憶部と、前記表示画面上において所定の領域を設定する領域設定部と、前記記憶部に記憶された識別情報が前記領域設定部に設定された領域に含まれるか否かを判断するスケール定規表示判断部と、を更に有し、
前記スケール定規表示部は、前記スケール定規表示判断部が前記領域に前記識別情報を含むと判断したときに、前記予め含まれるスケール定規表示を複製した複製データを生成して前記表示画面上に前記新たなスケール定規表示を表示させることを特徴とする請求項１に記載のスケール定規表示制御装置。
【請求項３】
前記スケール定規表示は、所定の長さを有する図形表示および該図形表示の長さに対応する距離を数値表示する距離数値表示を含むとともに、前記識別情報は、前記図形表示の識別情報および前記距離数値表示の識別情報を含むことを特徴とする請求項２に記載のスケール定規表示制御装置。
【請求項４】
前記スケール定規表示部により表示されたスケール定規表示において距離数値表示の変更を行うスケール定規表示変更部を更に有することを特徴とする請求項３に記載のスケール定規表示制御装置。
【請求項５】
前記スケール定規表示部により表示されたスケール定規表示において図形表示の寸法および／または形状を変更させるとともに、該変更した寸法および／または形状に対応させて前記距離数値表示の変更を行うスケール定規表示変更部を更に有することを特徴とする請求項３に記載のスケール定規表示制御装置。
【請求項６】
表示画面上において表示物の距離を把握するためのスケール定規表示であって、前記表示画面上における表示物に予め含まれるスケール定規表示を複製した複製データを生成して該複製データを新たなスケール定規表示として表示させるスケール定規表示ステップと、
前記スケール定規表示を前記表示画面上で移動させるスケール定規表示移動ステップと、
を有することを特徴とするスケール定規表示制御方法。
【請求項７】
前記表示物に予め含まれるスケール定規表示を識別するための識別情報を記憶する記憶ステップと、前記表示画面上において所定の領域を設定する領域設定ステップと、前記記憶ステップにおいて記憶された識別情報が前記領域設定ステップにおいて設定された領域に含まれるか否かを判断するスケール定規表示判断ステップと、を更に有し、
前記スケール定規表示ステップは、前記スケール定規表示判断ステップにおいて前記領域に前記識別情報を含むと判断されたときに、前記予め含まれるスケール定規表示を複製した複製データを生成して前記表示画面上に前記新たなスケール定規表示を表示させるステップとすることを特徴とする請求項６に記載のスケール定規表示制御方法。
【請求項８】
前記スケール定規表示は、所定の長さを有する図形表示および該図形表示の長さに対応する距離を数値表示する距離数値表示を含むとともに、前記識別情報は、前記図形表示の識別情報および前記距離数値表示の識別情報を含むことを特徴とする請求項７に記載のスケール定規表示制御方法。
【請求項９】
前記スケール定規表示ステップにより表示されたスケール定規表示において距離数値表示の変更を行うスケール定規表示変更ステップを更に有することを特徴とする請求項８に記載のスケール定規表示制御方法。
【請求項１０】
前記スケール定規表示ステップにより表示されたスケール定規表示において図形表示の寸法および／または形状を変更させるとともに、該変更した寸法および／または形状に対応させて前記距離数値表示の変更を行うスケール定規表示変更ステップを更に有することを特徴とする請求項９に記載のスケール定規表示制御方法。
【請求項１１】
コンピュータを、
表示画面上において表示物の距離を把握するためのスケール定規表示であって、前記表示画面上における表示物に予め含まれるスケール定規表示を複製した複製データを生成して該複製データを新たなスケール定規表示として、表示させるスケール定規表示部と、
前記スケール定規表示を前記表示画面上で移動させるスケール定規表示移動部として機能させることを特徴とするプログラム。
【請求項１２】
前記コンピュータを、
前記表示物に予め含まれるスケール定規表示を識別するための識別情報を記憶する記憶部と、前記表示画面上において所定の領域を設定する領域設定部と、前記記憶部に記憶された識別情報が前記領域設定部に設定された領域に含まれるか否かを判断するスケール定規表示判断部として+更に機能させるとともに、
前記スケール定規表示部を、前記スケール定規表示判断部が前記領域に前記識別情報を含むと判断したときに、前記予め含まれるスケール定規表示を複製した複製データを生成して前記表示画面上に前記新たなスケール定規表示を表示させる機能部として機能させることを特徴とする請求項１１に記載のプログラム。
【請求項１３】
前記スケール定規表示は、所定の長さを有する図形表示および該図形表示の長さに対応する距離を数値表示する距離数値表示を含むとともに、前記識別情報は、前記図形表示の識別情報および前記距離数値表示の識別情報を含むことを特徴とする請求項１２に記載のプログラム。
【請求項１４】
前記コンピュータを、
前記スケール定規表示部により表示されたスケール定規表示において距離数値表示の変更を行うスケール定規表示変更部として更に機能させることを特徴とする請求項１３に記載のプログラム。
【請求項１５】
前記コンピュータを、
前記スケール定規表示部により表示されたスケール定規表示において図形表示の寸法および／または形状を変更させるとともに、該変更した寸法および／または形状に対応させて前記距離数値表示の変更を行うスケール定規表示変更部として更に機能させることを特徴とする請求項１３に記載のプログラム。
【手続補正２】
【補正対象書類名】明細書
【補正対象項目名】０００６
【補正方法】変更
【補正の内容】
【０００６】
上記目的を達成するために、スケール定規表示制御装置に係る請求項１の発明は、表示画面上において表示物の距離を把握するためのスケール定規表示であって、前記表示画面上における表示物に予め含まれるスケール定規表示を複製した複製データを生成して該複製データを新たなスケール定規表示として表示させるスケール定規表示部と、スケール定規表示を表示画面上で移動させるスケール定規表示移動部と、を有することを特徴とする。
【手続補正３】
【補正対象書類名】明細書
【補正対象項目名】０００７
【補正方法】変更
【補正の内容】
【０００７】
本発明によれば、表示画面上において表示物の距離を把握するためのスケール定規表示を表示させるスケール定規表示部であって、前記表示画面上における表示物に予め含まれるスケール定規表示を複製した複製データを生成して該複製データを新たなスケール定規表示として表示させるスケール定規表示部と、スケール定規表示を表示画面上で移動させるスケール定規表示移動部と、を有することとしたので、表示画面上においてスケール定規表示を表示させるとともに、前記表示画面上における表示物に予め含まれるスケール定規表示を利用して移動可能な新たなスケール定規表示を容易に生成することができ、該スケール定規表示を移動させることができる。これにより、表示画面上においてスケール定規表示を表示物の近傍に移動させて距離を把握することができる等、表示画面上における表示物の距離を正確かつ容易に把握することができる。
【手続補正４】
【補正対象書類名】明細書
【補正対象項目名】０００８
【補正方法】削除
【補正の内容】
【手続補正５】
【補正対象書類名】明細書
【補正対象項目名】０００９
【補正方法】変更
【補正の内容】
【０００９】
表示物に予め含まれるスケール定規表示を識別するための識別情報を記憶する記憶部と、表示画面上において所定の領域を設定する領域設定部と、記憶部に記憶された識別情報が領域設定部に設定された領域に含まれるか否かを判断するスケール定規表示判断部と、を更に有し、スケール定規表示部は、スケール定規表示判断部が領域に識別情報を含むと判断したときに、予め含まれるスケール定規表示を複製した複製データを生成して表示画面上に新たなスケール定規表示を表示させることとすれば、確実にスケール定規表示の複製データを生成することができる（請求項２）。
【手続補正６】
【補正対象書類名】明細書
【補正対象項目名】００１０
【補正方法】変更
【補正の内容】
【００１０】
スケール定規表示は、所定の長さを有する図形表示および該図形表示の長さに対応する距離を数値表示する距離数値表示を含むとともに、識別情報は、図形表示の識別情報および距離数値表示の識別情報を含むこととすることができる（請求項３）。
【手続補正７】
【補正対象書類名】明細書
【補正対象項目名】００１１
【補正方法】変更
【補正の内容】
【００１１】
スケール定規表示部により表示されたスケール定規表示において距離数値表示の変更を行うスケール定規表示変更部を更に有することとすれば、より詳しくは、スケール定規表示部により表示されたスケール定規表示において図形表示の寸法および／または形状を変更させるとともに、該変更した寸法および／または形状に対応させて距離数値表示の変更を行うスケール定規表示変更部を更に有することとすれば、表示画面上における表示物の寸法や形状に対応させてスケール定規表示を変更させることができ、表示画面上における表示物の距離を更に正確かつ容易に把握することができる（請求項４、請求項５）。
【手続補正８】
【補正対象書類名】明細書
【補正対象項目名】００１２
【補正方法】変更
【補正の内容】
【００１２】
上記目的を達成するために、スケール定規表示制御方法に係る請求項６の発明は、表示画面上において表示物の距離を把握するためのスケール定規表示であって、前記表示画面上における表示物に予め含まれるスケール定規表示を複製した複製データを生成して該複製データを新たなスケール定規表示として表示させるスケール定規表示ステップと、スケール定規表示を表示画面上で移動させるスケール定規表示移動ステップと、を有することを特徴とする。
【手続補正９】
【補正対象書類名】明細書
【補正対象項目名】００１３
【補正方法】変更
【補正の内容】
【００１３】
本発明によれば、表示画面上において表示物の距離を把握するためのスケール定規表示であって、前記表示画面上における表示物に予め含まれるスケール定規表示を複製した複製データを生成して該複製データを新たなスケール定規表示を表示させるスケール定規表示ステップと、スケール定規表示を表示画面上で移動させるスケール定規表示移動ステップと、を有することとしたので、表示画面上においてスケール定規表示を表示させるとともに、前記表示画面上における表示物に予め含まれるスケール定規表示を利用して移動可能な新たなスケール定規表示を容易に生成することができ、該スケール定規表示を移動させることができる。これにより、表示画面上においてスケール定規表示を表示物の近傍に移動させて距離を把握することができる等、表示画面上における表示物の距離を正確かつ容易に把握することができる。
【手続補正１０】
【補正対象書類名】明細書
【補正対象項目名】００１４
【補正方法】削除
【補正の内容】
【手続補正１１】
【補正対象書類名】明細書
【補正対象項目名】００１５
【補正方法】変更
【補正の内容】
【００１５】
表示物に予め含まれるスケール定規表示を識別するための識別情報を記憶する記憶ステップと、表示画面上において所定の領域を設定する領域設定ステップと、記憶ステップにおいて記憶された識別情報が領域設定ステップにおいて設定された領域に含まれるか否かを判断するスケール定規表示判断ステップと、を更に有し、スケール定規表示ステップは、スケール定規表示判断ステップにおいて領域に識別情報を含むと判断されたときに、予め含まれるスケール定規表示を複製した複製データを生成して表示画面上に新たなスケール定規表示を表示させるステップとすることとすれば、確実にスケール定規表示の複製データを生成することができる（請求項７）。
【手続補正１２】
【補正対象書類名】明細書
【補正対象項目名】００１６
【補正方法】変更
【補正の内容】
【００１６】
スケール定規表示は、所定の長さを有する図形表示および該図形表示の長さに対応する距離を数値表示する距離数値表示を含むとともに、識別情報は、図形表示の識別情報および距離数値表示の識別情報を含むこととすることができる（請求項８）。
【手続補正１３】
【補正対象書類名】明細書
【補正対象項目名】００１７
【補正方法】変更
【補正の内容】
【００１７】
スケール定規表示ステップにより表示されたスケール定規表示において距離数値表示の変更を行うスケール定規表示変更ステップを更に有することとすれば、より詳しくは、スケール定規表示ステップにより表示されたスケール定規表示において図形表示の寸法および／または形状を変更させるとともに、該変更した寸法および／または形状に対応させて距離数値表示の変更を行うスケール定規表示変更ステップを更に有することとすれば、表示画面上における表示物の寸法や形状に対応させてスケール定規表示を変更させることができ、表示画面上における表示物の距離を更に正確かつ容易に把握することができる（請求項９、請求項１０）。
【手続補正１４】
【補正対象書類名】明細書
【補正対象項目名】００１８
【補正方法】変更
【補正の内容】
【００１８】
上記目的を達成させるためにプログラムに係る請求項１１の発明は、コンピュータを、表示画面上において表示物の距離を把握するためのスケール定規表示であって、前記表示画面上における表示物に予め含まれるスケール定規表示を複製した複製データを生成して該複製データを新たなスケール定規表示として表示させるスケール定規表示部と、スケール定規表示を表示画面上で移動させるスケール定規表示移動部として機能させることを特徴とする。
【手続補正１５】
【補正対象書類名】明細書
【補正対象項目名】００１９
【補正方法】変更
【補正の内容】
【００１９】
本発明によれば、コンピュータを、表示画面上において表示物の距離を把握するためのスケール定規表示を表示させるスケール定規表示部であって、前記表示画面上における表示物に予め含まれるスケール定規表示を複製した複製データを生成して該複製データを新たなスケール定規表示として表示させるスケール定規表示部と、スケール定規表示を表示画面上で移動させるスケール定規表示移動部として機能させることとしたので、表示画面上においてスケール定規表示を表示させるとともに、前記表示画面上における表示物に予め含まれるスケール定規表示を利用して移動可能な新たなスケール定規表示を容易に生成することができ、該スケール定規表示を移動させることができる。これにより、表示画面上においてスケール定規表示を表示物の近傍に移動させて表示画面上における表示物の距離を正確かつ容易に把握することができる。
【手続補正１６】
【補正対象書類名】明細書
【補正対象項目名】００２０
【補正方法】削除
【補正の内容】
【手続補正１７】
【補正対象書類名】明細書
【補正対象項目名】００２１
【補正方法】変更
【補正の内容】
【００２１】
コンピュータを、表示物に予め含まれるスケール定規表示を識別するための識別情報を記憶する記憶部と、表示画面上において所定の領域を設定する領域設定部と、記憶部に記憶された識別情報が領域設定部に設定された領域に含まれるか否かを判断するスケール定規表示判断部として更に機能させるとともに、スケール定規表示部を、スケール定規表示判断部が領域に識別情報を含むと判断したときに、予め含まれるスケール定規表示を複製した複製データを生成して表示画面上に新たなスケール定規表示を表示させる機能部として機能させることとすれば、確実にスケール定規表示の複製データを生成することができる（請求項１２）。
【手続補正１８】
【補正対象書類名】明細書
【補正対象項目名】００２２
【補正方法】変更
【補正の内容】
【００２２】
スケール定規表示は、所定の長さを有する図形表示および該図形表示の長さに対応する距離を数値表示する距離数値表示を含むとともに、識別情報は、図形表示の識別情報および距離数値表示の識別情報を含むこととすることができる（請求項１３）。
【手続補正１９】
【補正対象書類名】明細書
【補正対象項目名】００２３
【補正方法】変更
【補正の内容】
【００２３】
コンピュータを、スケール定規表示部により表示されたスケール定規表示において距離数値表示の変更を行うスケール定規表示変更部として更に機能させることとすれば、より詳しくは、コンピュータを、スケール定規表示部により表示されたスケール定規表示において図形表示の寸法および／または形状を変更させるとともに、該変更した寸法および／または形状に対応させて距離数値表示の変更を行うスケール定規表示変更部として更に機能させることとすれば、表示画面上における表示物の寸法や形状に対応させてスケール定規表示を変更させることができ、表示画面上における表示物の距離を更に正確かつ容易に把握することができる（請求項１４、請求項１５）。